(57)【特許請求の範囲】
【請求項１】
記憶部と演算部とを用いた日照率計算方法であって、
地域、月単位を含む季節、及び天気の組み合わせ毎に湿度と日照率との関係を回帰分析して得られた各相関関数データを前記記憶部に予め記憶させおく相関データ記憶ステップと、
湿度情報を前記記憶部に記憶させる湿度情報記憶ステップと、
演算部が、日照率を計算する地点を包含する地域、季節、及び天気に対応する前記相関関数データに前記湿度情報を代入することで、日照率を演算する演算ステップと、
を有すること、
を特徴とする日照率計算方法。
【請求項２】
地域、月単位を含む季節、及び天気の組み合わせ毎に湿度と日照率との関係を回帰分析して得られた各相関関数データを予め記憶する第１の記憶手段と、
湿度情報を記憶する第２の記憶手段と、
日照率を計算する地点を包含する地域、季節、及び天気に対応する前記相関関数データを前記第１の記憶手段から読み出し、前記第２の記憶手段に記憶された前記湿度情報を代入することで、日照率を演算する演算部と、
を備えること、
を特徴とする日照率計算システム。
【請求項３】
前記湿度情報を記憶するサーバにネットワークを介して接続され、
前記サーバから前記湿度情報を取得して前記第２の記憶手段に記憶すること、
を特徴とする請求項２記載の日照率計算システム。
【請求項４】
前記天気を示す天気情報を記憶するサーバにネットワークを介して接続され、前記サーバから前記天気情報を取得し、
前記演算部は、
取得した前記天気情報が示す天気に対応する前記相関関数データを前記第１の記憶手段から取得すること、
を特徴とする請求項３記載の日照率計算システム。
【請求項５】
コンピュータを、
地域、月単位を含む季節、及び天気の組み合わせ毎に湿度と日照率との関係を回帰分析して得られた各相関関数データを予め記憶する第１の記憶手段と、
湿度情報を記憶する第２の記憶手段と、
日照率を計算する地点を包含する地域、季節、及び天気に対応する前記相関関数データを前記第１の記憶手段から読み出し、前記第２の記憶手段に記憶された前記湿度情報を代入することで、日照率を演算する演算部と、
して機能させること、
を特徴とする日照率計算プログラム。
【請求項６】
前記湿度情報を記憶するサーバにネットワークを介して接続された前記コンピュータに、
前記サーバから前記湿度情報を取得して前記第２の記憶手段に記憶させること、
を特徴とする請求項５記載の日照率計算プログラム。
【発明の詳細な説明】
【技術分野】
【０００１】
本発明は、湿度から日照率を計算する日照率計算方法、そのシステム、及びそのプログラムに関する。
【背景技術】
【０００２】
日照率は、農業、土木、建築、環境といった様々な産業において、非常に大きな影響力を及ぼす重要な気象要素である。日照率は、日照時間と可照時間との比率、または単位時間あたりの実際の日照量と快晴時における理論上の日照量との比率で表すことができる。
【０００３】
日照率を精度よく予測することは、社会経済の観点から大変有益である。例えば、日照率が事前に予想できれば、その日照率から日射量や日射時間が算出でき、農作物の収穫予測、肥料や水分補給の量やタイミング、環境調節、コンビニエンスストア等が仕入れる弁当の量や種類の選択、電力需要の予測、太陽光発電の発電量予測等に大変役立つ。
【０００４】
ここで、日照率と同じく太陽光からの放射エネルギーを表す数値として、日射量が知られている。日射量とは、単位面積及び単位時間あたりで太陽から受ける放射エネルギーの量である。日射量の予測方法としては、例えば、特許文献１のような技術が提案されている。すなわち、大気透過率を多重回帰式によって求め、その大気透過率に基づき直達日射量を求める技術が提案されている。大気透過率は、日照率を変数として有している。従って、日射量を予測する場合であっても、日照率の予測は大変重要となる。
【０００５】
日照率は、現在のところ、気象庁、日本気象協会、民間企業、又は自治体などの気象予報源が提供する天気予報を元に計算することができる。例えば、図６は、日本気象協会がネットワーク上で提供している天気予報を示す模式図である。図６に示すように、日本気象協会は、地方気象台や特別地域観測所等の所在地毎及び３時間毎に、天気情報ＷＤ及び湿度情報ＨＤの予測を提供している。
【０００６】
天気情報ＷＤは、快晴、晴れ、薄曇り、曇り、雨等の天気の概略区分を示す情報である。湿度情報ＨＤは、湿度を示す情報である。天気情報ＷＤは雲量に応じて区分されているため、天気情報ＷＤと日照率とがある程度の相関性を有することは経験的に知られていることである。従って、現在のところ、日照率は、この天気情報ＷＤを元に経験的に推測されている場合が多い。
【先行技術文献】
【特許文献】
【０００７】
【特許文献１】特開２００６−２３４５９１公報
【発明の概要】
【発明が解決しようとする課題】
【０００８】
天気情報ＷＤは、上述のように、雲量を予測して、予測される雲量に応じて区分された情報である。雲量は、空の全天に示す雲の割合であり、国際的にはその割合を８分割した区分で表し、日本国内ではその割合を１０分割した区分で表している。すなわち、従来の天気情報ＷＤから日照率を計算する方法では、日照率は８区分又は１０区分程度の細かさでしか計算できなかった。
【０００９】
本発明は、上記のような従来技術の問題点を解決するために提案されたもので、日照率をより詳細に計算することのできる日照率計算方法、そのシステム、及びそのプログラムを提供することを目的とする。
【課題を解決するための手段】
【００１０】
本発明者は、湿度と雲量に明確な相関関係があるのではないかと考えた。雲量は日照率に影響することは自然の理であるから、湿度と雲量に明確な相関関係があれば、湿度と日照率にも明確な相関関係が存在するはずである。そこで、本発明者は、気象庁の過去の天気実績を集計分析し、鋭意研究した結果、図７に示すように、湿度と雲量との明確な相関関係が存在することを見出した。
【００１１】
図７は、横軸を湿度、縦軸を雲量としたグラフである。棒グラフは、湿度毎の雲量を示し、線グラフは、回帰分析により得られた湿度と雲量との相関関係を示す回帰方程式である。この棒グラフと線グラフとが示しているように、湿度と雲量とは明確な相関性を有し、その相関係数は高い。すなわち、これらのグラフは、湿度と日照率とが明確な相関性を有し、その相関係数も高いことも同時に示している。
【００１２】
そこで、本発明の第１の態様は、記憶部と演算部とを用いた日照率計算方法であって、
地域、月単位を含む季節、及び天気の組み合わせ毎に湿度と日照率との関係を回帰分析して得られた各相関関数データを前記記憶部に予め記憶させおく相関データ記憶ステップと、湿度情報を前記記憶部に記憶させる湿度情報記憶ステップと、演算部が、日照率を計算する地点を包含する地域、季節、及び天気に対応する前記相関関数データに前記湿度情報を代入することで、日照率を演算する演算ステップと、を有すること、を特徴とする。地域別に湿度と日照率の相関関係を求めると、より精度のよい相関関係が得られる。また、季節別に湿度と日照率の相関関係を求めると、より精度のよい相関関係が得られる。ここでいう季節とは、１年を分割した１単位であり、春、夏、秋、冬等の１年を４分割したものでもよいし、月単位であってもよい。また、湿度と日照率とにより高い相関係数が得られるのであれば、１年を所定間隔で区分する必要もなく、各区分の長さはばらばらであってもよい。また、天気別に湿度と日照率の相関関係を求めると、より精度のよい相関関係が得られる。ここでいう天気とは、快晴、晴れ、薄曇り、曇り、雨等の概略的な天候でもよいし、雲量であってもよい。
【００１６】
また、本発明の第２の態様は、日照率計算システムであって、地域、月単位を含む季節、及び天気の組み合わせ毎に湿度と日照率との関係を回帰分析して得られた各相関関数データを予め記憶する第１の記憶手段と、湿度情報を記憶する第２の記憶手段と、日照率を計算する地点を包含する地域、季節、及び天気に対応する前記相関関数データを前記第１の記憶手段から読み出し、前記第２の記憶手段に記憶された前記湿度情報を代入することで、日照率を演算する演算部と、を備えること、を特徴とする。
【００１７】
日照率計算システムは、前記湿度情報を記憶するサーバにネットワークを介して接続され、前記サーバから前記湿度情報を取得して前記第２の記憶手段に記憶するようにしてもよい。
【００２１】
日照率計算システムは、前記天気を示す天気情報を記憶するサーバにネットワークを介して接続され、前記サーバから前記天気情報を取得し、前記演算部は、取得した前記天気情報が示す天気に対応する前記相関関数データを前記第１の記憶手段から取得するようにしてもよい。
【００２２】
また、本発明の第３の態様は、日照率計算プログラムであって、コンピュータを、地域、月単位を含む季節、及び天気の組み合わせ毎に湿度と日照率との関係を回帰分析して得られた各相関関数データを予め記憶する第１の記憶手段と、湿度情報を記憶する第２の記憶手段と、日照率を計算する地点を包含する地域、季節、及び天気に対応する前記相関関数データを前記第１の記憶手段から読み出し、前記第２の記憶手段に記憶された前記湿度情報を代入することで、日照率を演算する演算部と、して機能させること、を特徴とする。
【００２３】
前記湿度情報を記憶するサーバにネットワークを介して接続された前記コンピュータに、前記サーバから前記湿度情報を取得して前記第２の記憶手段に記憶させるようにしてもよい。
【発明の効果】
【００２７】
本発明によれば、湿度と日照率とが明確に相関するという知見に基づき、湿度という区分の細かいパラメータを用いて日照率を計算できるため、より詳細な日照率を算出することができる。
【図面の簡単な説明】
【００２８】
【図１】日照率計算システムを含むネットワークを示すブロック図である。
【図２】湿度と日照率との相関関係を示す関数データの例を示す図である。
【図３】日照率計算システムの具体的な構成を示すブロック図である。
【図４】（ａ）は地域コードテーブルを示し、（ｂ）は季節コードテーブルを示し、（ｃ）は天気コードテーブルを示す図である。
【図５】日照率計算システムの動作を示すフローチャートである。
【図６】ネットワーク上で提供されている天気予報を示す模式図である。
【図７】横軸を湿度、縦軸を雲量としたグラフである。
【発明を実施するための形態】
【００２９】
以下、本発明に係る日照率計算方法、そのシステム、及びそのプログラムの実施形態について図面を参照しつつ詳細に説明する。
【００３０】
［１．構成］
［Ａ．ネットワーク構成］
図１は、日照率計算システム１を含むネットワークを示すブロック図である。図１に示すように、日照率計算システム１（以下、本システム１という）は、インターネット等のネットワークを介して需要者装置１００と天気予報サーバ２００とに接続されている。
【００３１】
本システム１は、所謂サーバであり、ＣＰＵやＭＰＵ等の演算制御装置、ＲＡＭ等の内部記憶装置、ハードディスク等の外部記憶装置、及びＴＣＰ／ＩＰ等の通信プロトコルを用いてデータの送受信を行うネットワークアダプタ等の通信手段を備えている。外部記憶装置には、ＯＳ、日照率計算プログラム、及び湿度−日照率相関関数データＣＦ（以下、単に相関データＣＦという）が予め記憶されている。
【００３２】
天気予報サーバ２００は、例えば、気象庁等の気象予報源が提供するサーバであり、図７に示したように、少なくとも３時間毎の各地域の湿度情報ＨＤが記憶されている。湿度情報ＨＤは、一地域において予想される湿度を示す値のデータである。需要者装置２００は、日照率情報ＳＤを要求するコンピュータであり、需要者側に設置されている。日照率情報ＳＤは、一地域において予想される日照率を示す値のデータである。
【００３３】
本システム１は、演算制御装置がＯＳ及び当該プログラムに従って命令を実行することで、通信手段を用いて天気予報サーバ２００から湿度情報ＨＤを受信して内部記憶装置に記憶し、演算制御装置を用いて湿度情報ＨＤを相関データＣＦに代入する演算処理を行うことで日照率情報ＳＤを生成し、通信手段を用いて需要者装置１００に日照率情報ＳＤを送信する。
【００３４】
相関データＣＦは、湿度と日照率との相関関係を示す関数データである。この相関データＣＦの例を図２に示す。図２に示すように、相関データＣＦは、湿度を変数とした日照率の回帰方程式である。
【００３５】
この相関データＣＦは、過去の湿度に係る数値と過去の日照率を回帰分析して生成されたものである。湿度に係る数値とは、湿度そのものであってもよいし、ある季節の湿度の平均値であってもよいし、ある季節とその前後の季節の湿度の平均値であってもよいし、過去数年間に亘る同一季節の温度の平均値であってもよい。回帰分析する湿度に係る数値によって相関係数は変化するが、要求される日照率情報ＳＤの精度に応じて各種採用できる。
【００３６】
本実施形態では、相関データＣＦは、地域、季節、及び概略天気の組み合わせ毎に予め記憶されている。すなわち、同一地域、同一季節、及び同一概略天気における湿度情報ＨＤを集めて、回帰分析を行い、相関データＣＦを予め生成している。地域、季節、及び概略天気に応じて相関データＣＦを作成することで、湿度と日照率との相関係数はより高くなるためである。
【００３７】
地域は、気象予報源による天気予報の区分に準じ、例えば、各地方気象台と各特別地域観測所が担当するエリアで分けられている。季節は、春、夏、秋、冬等のシーズンの他、月単位で区分けしてもよい。概略天気は、晴れ、曇り、雨等の気象予報源による天気予報ＷＤの区分に準じている。
【００３８】
相関データＣＦの一例を示す。例えば、図２に示すように、札幌市の7月の晴れの日における相関データＣＦは、
ｙ＝−０．００９９ｘ２＋０．０４８＋０．８４０７
ｙ：日照率、ｘ：湿度／５−７
である。
【００３９】
この相関データＣＦは、札幌市を管轄する地方気象台が蓄積する７月の晴れの日の湿度と日照率の実績を集めて回帰分析することにより得られたものである。棒グラフは、ある湿度における日照率の平均値であり、線グラフは、この湿度と日照率の平均値とを回帰分析して得た回帰方程式であり、相関データＣＦである。本システム１は、この相関データＣＦを記憶しておき、湿度情報ＨＤから、変数ｘを算出し、変数ｘの値を相関データＣＦに代入している。但し、本システム１は、実際には、湿度Ｘ＝５（ｘ＋７）として、ｙをＸの関数に変形した相関データＣＦを記憶しており、直接湿度情報ＨＤを相関データＣＦに代入するようになっている。
【００４０】
［Ｂ．システム構成］
この湿度情報ＳＤと相関データＣＦを用いて日照率情報ＳＤを計算する本システム１の構成を、図３乃至５を参照しつつ、より具体的に説明する。
【００４１】
図３は、本システム１の具体的な構成を示すブロック図である。本システム１は、日照率計算プログラムを実行することにより、主に、関数記憶部１０と湿度情報記憶部１１と演算部１２と送信手段１３として機能する。
【００４２】
関数記憶部１０は、外部記憶装置を含み構成されている。関数記憶部１０には、地域、季節、及び概略天気の組み合わせ毎に相関データＣＦが記憶されている。相関データＣＦは、キーボード等のマンマシンインターフェースや通信手段を用いて本システム１に入力され、関数記憶部１０に予め記憶される。また、相関データＣＦを生成するパラメータを本システム１に入力し、本システム１で相関データＣＦを回帰分析により生成し、関数記憶部１０に記憶しておくようにすることもできる。
【００４３】
湿度情報記憶部１１は、内部記憶装置を含み構成されている。湿度情報記憶部１１には、天気予報サーバ２００から受信した湿度情報ＨＤが記憶される。湿度情報ＨＤは、本システム１が備える湿度情報取得部１５により取得され、湿度情報記憶部１１に記憶される。湿度情報取得部１５は、主に通信手段を含んで構成され、天気予報サーバ２００とＴＣＰ／ＩＰ等の通信プロトコルを用いて通信を確立し、天気予報サーバ２００に湿度情報ＨＤの送信を要求し、天気予報サーバ２００から湿度情報ＨＤを受信する。
【００４４】
演算部１２は、演算制御装置を含み構成されている。演算部１２は、湿度情報記憶部１１から湿度情報ＨＤを読み出し、関数記憶部１０から相関データＣＦを読み出し、湿度情報ＨＤを相関データＣＦに代入することで、日照率情報ＳＤを計算する。
【００４５】
送信手段１３は、通信手段を含み構成される。送信部１３は、演算部１２の演算結果である日照率情報ＳＤをネットワークを介して需要者装置１００に送信する。
【００４６】
演算部１２が読み出す相関データＣＦは、本システム１が備える関数選択部２１により指定される。関数選択部２１は、演算制御装置を含み構成され、季節を示す季節情報、概略天気を示す天気情報ＷＤ、及び地域を示す地域情報を取得して、これら情報に対応する相関データＣＦを検索する。
【００４７】
季節情報については、本システム１が備える時計手段１８から取得する。時計手段１８は、例えば、日時を計時するリアルタイムクロック、ＯＳの計時プログラムを実行する演算制御装置、又はネットワーク上のタイムサーバから日時情報を取得する通信手段及び演算制御装置である。
【００４８】
天気情報ＷＤについては、本システム１が備える天気情報記憶部１６から取得する。天気情報記憶部１６は、内部記憶装置を含み構成され、天気情報ＷＤを記憶している。天気情報ＷＤは、本システム１が備える天気情報取得部１７によって取得され、天気情報記憶部１６に記憶される。天気情報取得部１７は、主に通信手段を含み構成され、天気予報サーバ２００とＴＣＰ／ＩＰ等の通信プロトコルを用いて通信を確立し、天気予報サーバ２００に天気情報ＷＤの送信を要求し、天気予報サーバ２００から天気情報ＷＤを受信する。
【００４９】
地域情報については、本システム１が備える地域情報記憶部１９から取得する。地域情報記憶部１９は、内部記憶装置又は外部記憶装置を含み構成され、地域情報を記憶している。地域情報は、本システム１が備える地域情報取得部２０によって取得され、地域情報記憶部１９に記憶される。一度取得した地域情報は、内部又は外部記憶装置に記憶させておき、次回の日照率情報ＳＤの計算の際には、地域情報の取得処理を省くようにしてもよい。
【００５０】
地域情報取得部２０は、主に演算制御装置と外部記憶装置を含み構成されている。この地域情報取得部２０は、地方気象台と特別地域観測所の各管轄エリアの緯度範囲及び経度範囲を地域情報に対応づけて予め記憶しており、日照率情報ＳＤを算出する地点の住所を緯度及び経度に変換し、変換により得た緯度及び経度が含まれる管轄エリアの地域情報を得る。
【００５１】
日照率情報ＳＤを算出する地点の住所は、本システム１のマンマシンインターフェースを用いて入力してもよいし、需要者装置１００から受信してもよい。また、日照率情報ＳＤを算出する地点の緯度及び経度については、インターネット上のマッピングサーバに住所を送信し、マップサーバが出力する緯度情報及び経度情報を受信するようにしてもよい。また、需要者装置１００がＧＰＳ機能を有する場合は、需要者装置１００から日照率情報ＳＤを算出する地点の緯度情報及び経度情報を取得するようにしてもよい。
【００５２】
尚、天気情報ＷＤ及び湿度情報ＨＤとしては、地域情報記憶部１９に記憶されている地域情報が示す地域のデータが取得される。すなわち、湿度情報取得部１５は、地域情報が示す地域の湿度情報ＨＤの送信を要求し、天気情報取得部１７は、地域情報が示す地域の天気情報ＷＤの送信を要求する。
【００５３】
関数選択部２１は、図４に示すように、（ａ）の地域コードテーブル、（ｂ）の季節コードテーブル、（ｃ）の天気コードテーブルを予め備えている。地域コードテーブルは、地域情報と地域コードとを対応づけて記憶し、季節コードテーブルは、季節情報と季節コードを対応づけて記憶し、天気コードテーブルは、天気情報と天気コードとを対応づけて記憶している。ここで、相関データＣＦは、コード情報で識別されている。コード情報は、地域コードと季節コードと天気コードとの組み合わせにより構成されている。関数選択部２１は、地域コードテーブルを参照して、地域情報に対応する地域コードを取得し、季節コードテーブルを参照して、季節情報に対応する季節コードを取得し、天気コードテーブルを参照して、天気情報に対応する天気コードを取得し、これらコードを組み合わせてコード情報を生成する。
【００５４】
演算部１２は、コード情報を含んだメッセージを関数選択部２１から受け取り、このコード情報で識別される相関データＣＦを関数記憶部１０から読み出して、日照率情報ＳＤを生成する。
【００５５】
［２．作用］
このような日照率計算システム１の動作について図５を参照して説明する。図５は、本システム１の動作を示すフローチャートである。尚、本システム１は、予め相関データＣＦを関数記憶部１０に記憶しており、また日照率情報ＳＤを計算する地域の地域情報を予め地域情報記憶部１９に記憶しているものとする。
【００５６】
まず、ステップＳ０１において、湿度情報取得部１５は、天気予報サーバ２００が湿度情報ＨＤや天気情報ＷＤを更新する時刻になると、天気予報サーバ２００から最新の湿度情報ＨＤを受信する。更新時刻に達したか否かの判断は、時計手段１８が計時する時刻によって判断する。天気予報サーバ２００に要求する湿度情報ＨＤは、地域情報記憶部１９が記憶する地域情報が示す地域のデータである。湿度情報取得部１５は、受信した湿度情報ＨＤを湿度情報記憶部１１に記憶させる。
【００５７】
次に、ステップＳ０２において、天気情報取得部１７は、天気予報サーバ２００が湿度情報ＨＤや天気情報ＷＤを更新する時刻になると、天気予報サーバ２００から最新の天気情報ＷＤを受信する。更新時刻に達したか否かの判断は、時計手段１８が計時する時刻によって判断する。天気予報サーバ２００に要求する天気情報ＷＤは、地域情報記憶部１９が記憶する地域情報が示す地域のデータである。天気情報取得部１７は、受信した天気情報ＷＤを天気情報記憶部１６に記憶させる。
【００５８】
このステップＳ０１及びＳ０２は、処理順序に特段の限定はなく、また同時であってよい。すなわち、ステップＳ０２を行った後、ステップＳ０１を行ってもよいし、ステップＳ０１とＳ０２とを同時に行ってもよい。
【００５９】
湿度情報ＨＤ及び天気情報ＷＤを取得すると、ステップＳ０３において、関数選択部２１は、時計手段１８から季節情報、天気情報記憶部１６から天気情報ＷＤ、地域情報記憶部１９から地域情報をそれぞれ取得する。
【００６０】
そして、ステップＳ０４において、関数選択部２１は、取得した季節情報、天気情報ＷＤ、及び地域情報から相関データＣＦのコード情報を生成する。具体的には、関数選択部２１は、地域情報に対応する地域コードと、季節情報に対応する季節コードと、天気情報ＷＤに対応する天気コードとを、それぞれ地域コードテーブル、季節コードテーブル、及び天気コードテーブルを参照して検索し、該当の地域コード、季節コード、及び天気コードを組み合わせてコード情報を生成する。
【００６１】
相関データＣＦのコード情報が生成されると、ステップＳ０５において、演算部１２は、生成されたコード情報を含むメッセージを受け取り、コード情報に対応する相関データＣＦを関数記憶部１０から読み出す。また、ステップＳ０６において、演算部１２は、湿度情報記憶部１１から湿度情報ＨＤを読み出す。
【００６２】
このステップＳ０５及びＳ０６は、処理順序に特段の限定はなく、また同時であってよい。すなわち、ステップＳ０６を行った後、ステップＳ０５を行ってもよいし、ステップＳ０５とＳ０６とを同時に行ってもよい。
【００６３】
相関データＣＦと湿度情報ＨＤを読み出すと、ステップＳ０７において、演算部１２は、相関データＣＦに湿度情報ＨＤを代入することで、日照率情報ＳＤを計算する。
【００６４】
日照率情報ＳＤが計算されると、ステップＳ０８において、送信手段１３は、ネットワークを介して需要者装置１００に日照率情報ＳＤを送信する。
【００６５】
［３．効果］
このように、本実施形態では、湿度情報記憶部１１と関数記憶部１０と演算部１２とを用いて、湿度と日照率との相関データＣＦを関数記憶部１０に予め記憶させておき、湿度情報ＨＤを湿度情報記憶部１１に記憶させ、演算部１２が湿度情報ＨＤを相関データＣＦに代入することで、日照率情報ＳＤを演算するようにした。湿度と日照率とが明確に相関するという知見に基づき、湿度という区分の細かいパラメータを用いて日照率を計算できるため、より詳細な日照率を算出することができる。
【００６６】
また、地域毎に相関データＣＦを予め記憶させておき、日照率情報ＳＤを計算する地点を包含する地域に対応する相関データＣＦを取得して、日照率情報ＳＤを算出するようにしてもよい。また、月単位を含む季節毎に相関データＣＦを予め記憶させておき、日照率情報ＳＤを計算する季節に対応する相関データＣＦを取得して、日照率情報ＳＤを算出するようにしてもよい。また、天気毎に相関データＣＦを予め記憶させておき、日照率情報ＳＤを計算する日時の天気に対応する相関データＣＦを取得して、日照率情報ＳＤを計算してもよい。
【００６７】
地域、季節、又は概略天気、又はこれらの組み合わせ毎に相関データＣＦを用意することで、湿度と日照率との相関係数はより高くなるため、更に精度の高い日照率を算出する際に好適である。
【００６８】
尚、この実施形態は、例として提示したものであり、発明の要旨を逸脱しない範囲で、種々の省略、置き換え、変更が可能であり、それらも本発明の技術的範囲又はその均等の範囲に含まれる。すなわち、地域、季節、及び概略天気に依らない相関データＣＦを用いて日照率情報ＳＤを計算してもよいし、地域、季節、又は概略天気の何れか、又はこれらの組み合わせに応じて相関データＣＦを用意してもよい。何れの相関データＣＦを用いるかは、日照率情報ＳＤの算出において必要とされる精度に応じて適宜変更すればよい。
【００６９】
また、この日照率計算システムは、日照率の予測のみならず、現在又は過去の天候から現在又は過去の日照率を計算することもできる。すなわち、取得する天気情報ＷＤや湿度情報ＨＤが予報値であれば、算出結果である日照率情報ＳＤは予測値となるし、取得する天気情報ＷＤや湿度情報ＨＤが過去又は現在の値であれば、算出結果である日照率情報ＳＤは実績値となる。
【符号の説明】
【００７０】
１  日照率計算システム
１０  関数記憶部
１１  湿度情報記憶部
１２  演算部
１３  送信手段
１５  湿度情報取得部
１６  天気情報記憶部
１７  天気情報取得部
１８  時計手段
１９  地域情報記憶部
２０  地域情報取得部
２１  関数選択部
１００  需要者装置
２００  天気予報サーバ
ＣＦ  湿度−日照率相関関数データ
ＨＤ  湿度情報
ＳＤ  日照率情報
ＷＤ  天気情報
【要約】
【課題】日照率をより詳細に計算することのできる日照率計算方法、日照率計算システム、及び日照率計算プログラムを提供する。
【解決手段】湿度情報記憶部１１と関数記憶部１０と演算部１２とを用いて、湿度と日照率との相関データＣＦを関数記憶部１０に予め記憶させておき、気象情報を蓄積しているサーバから湿度情報ＨＤを取得して湿度情報記憶部１１に記憶させ、演算部１２が湿度情報ＨＤを湿度情報記憶部１１から取り出して相関データＣＦに代入することで、日照率情報ＳＤを演算する。
【選択図】図３【図１】
0004848051.tif 000002
【図３】
0004848051.tif 000003
【図４】
0004848051.tif 000004
【図５】
0004848051.tif 000005
【図６】
0004848051.tif 000006
【図７】
0004848051.tif 000007
【図２】
0004848051.tif 000008